(57)【要約】【課題】護岸の前面において環境的機能を付与することができるようにする。【解決手段】護岸ブロック１，１´を積み重ねてなる護岸７の前面に、護岸ブロックの貫通孔６に挿し込み可能にした複数の棚部材１３を連結部材にて連結してなる棚ユニット１１，１１ａ，１１ｂを、上記棚部材を貫通孔に挿し込むことにより取り付け、この棚ユニットにて玉石１６や植栽床１７を支持してなる構成にした。【選択図】図６
0003139271.tif 000002
【実用新案登録請求の範囲】
【請求項１】
所定の幅を有する前壁の背後に控え脚を設け、この控え脚を設けた位置に前面から後面にわたる貫通孔を設けたことを特徴とする護岸ブロック。
【請求項２】
請求項１記載の護岸ブロックを積み重ねてなる護岸の前面に、護岸ブロックの貫通孔に挿し込み可能にした複数の棚部材を連結部材にて連結してなる棚ユニットを、上記棚部材を貫通孔に挿し込むことにより取り付け、この棚ユニットにて玉石や植栽床を支持してなることを特徴とする護岸構造。
【請求項３】
棚ユニットが、横方向に複数有して上下２段に配置した棚部材と、横方向に並んだ棚部材の先端部に結合した横部材と、上下の横部材を連結する複数の縦部材とからなり、棚部材上に玉石や植栽床を載置してなることを特徴とする請求項２記載の護岸構造。
【請求項４】
棚ユニットが、上下に配置した棚部材と、この上下の棚部材の先端部を上下に連結する縦部材とからなり、この棚ユニットを横方向に複数配置し、各棚ユニットにわたって棚部材上に植生材を網で包んでなる植生ロールを載置してなることを特徴とする請求項２記載の護岸構造。
【請求項５】
棚ユニットが、護岸の横方向に並んだ各貫通孔に挿し込まれる複数の棚部材と、各棚部材と結合されると共に、相互に組み合った状態で各棚部材にわたって設けられる粗朶マットからなり、粗朶マット上に玉石や砂利を載置してなることを特徴とする請求項２記載の護岸構造。
【考案の詳細な説明】
【技術分野】
【０００１】
本考案は、河岸の法面に積み重ねて緑化等の環境的機能を有する護岸を構成する護岸ブロック及びこの護岸ブロックを用いて構築する護岸構造に関するものである。
【背景技術】
【０００２】
従来のこの種の護岸ブロックとしては、前壁の内側に上方を開放したポケット状の空間を設け、この空間内に土や土砂を入れて植物を育てる植栽床にしたり、水中にあっては小魚の住処として環境的機能を付加したものが知られている（例えば、特許文献１参照）。
【０００３】
【特許文献１】特開平９−３１０３２６号公報
【考案の開示】
【考案が解決しようとする課題】
【０００４】
上記従来の護岸ブロックにあっては、前壁の内側に上方へ開放した比較的大きなポケット状の空間を設けた構成であったため形状が複雑でコンクリート成形の工数が多くかかりコストが高くついていた。
【０００５】
また、従来の護岸ブロックにて構築される護岸構造にあっては、個々の護岸ブロックに上記空間による植栽床や小魚の住処等の環境的機能部分が構成されるため、この各環境的機能部分は個々に独立されていて複数の環境的機能部分が連係した効果を発揮することができなかった。
【０００６】
本考案は上記のことに鑑みなされたもので、簡単な構成で前面側で植栽、挿し木を行うことにより緑化が可能であり、また背面から前面への水分の移動が可能で、練り構造でありながら空積み構造の特徴を奏することができるようにした護岸ブロックを提供することを目的とし、またこの護岸ブロックを用いて、護岸の前面において、これの広い範囲にわたって環境的機能を付与することができて現場の環境に適した護岸構造を提供することを目的とするものである。
【課題を解決するための手段】
【０００７】
上記目的を達成するために、本考案に係る護岸ブロックは、所定の幅を有する前壁の背後に控え脚を設け、この控え脚を設けた位置に前面から後面にわたる貫通孔を設けた構成になっている。
【０００８】
上記構成の護岸ブロックを用いた護岸構造は、上記護岸ブロックを積み重ねてなる護岸の前面に、護岸ブロックの貫通孔に挿し込み可能にした複数の棚部材を連結部材にて連結してなる棚ユニットを、上記棚部材を貫通孔に挿し込むことにより取り付け、この棚ユニットにて玉石や植栽床を支持してなる構成になっている。
【０００９】
そして上記構成の護岸構造における棚ユニットが、横方向に複数有して上下２段に配置した棚部材と、横方向に並んだ棚部材の先端部に結合した横部材と、上下の横部材を連結する複数の縦部材とからなり、棚部材上に玉石や植栽床を載置してなる構成に、またはこの棚ユニットが、上下に配置した棚部材と、この上下の棚部材の先端部を上下に連結する縦部材とからなり、この棚ユニットを横方向に複数配置し、各棚ユニットにわたって棚部材上に植生材を網で包んでなる植生ロールを載置してなる構成に、さらにこの棚ユニットが、護岸の横方向に並んだ各貫通孔に挿し込まれる複数の棚部材と、各棚部材と結合されると共に、相互に組み合った状態で各棚部材にわたって設けられる粗朶マットからなり、粗朶マット上に玉石や砂利を載置してなる構成になっている。
【考案の効果】
【００１０】
本考案の請求項１に係る護岸ブロックにあっては、前壁から控え脚にわたって前後方向に貫通する貫通孔を有する構成であることにより、簡単な形状で低いコストで成形することができる。そしてこの護岸ブロックを積み重ねて護岸としたときに、この護岸の前面にはこれの前面から後面にわたって貫通する孔が多数設けられることになり、護岸の背面から前面への水分の移動が可能になり、この護岸を練り構造で構築した場合でも空構造の特徴を有することができる。また、上記貫通孔に土砂を充填してこれに植栽、挿し木等を行うことにより、護岸前面での緑化が可能になる。そしてさらに上記貫通孔に水抜きパイプや丸太を挿し込むことができる。
【００１１】
また本考案の請求項２に係る護岸構造にあっては、護岸の前面に棚ユニットが取り付けられ、この棚ユニットにて玉石や植栽床を支持したことにより、護岸の前面に魚類の住処や隠れ場所や水鳥の休憩場所を提供することができると共に、上記棚ユニットを利用して植生基盤を設けることができて、護岸の前面に広い範囲にわたって様々な環境的機能を付加することができる。
【００１２】
特に上記棚ユニットを水際線に設けることにより、水際に植生基盤を設けることができると共に、棚ユニットに玉石や砂利を充填することにより、多様な水際環境を創出することができる。
【００１３】
また本考案によれば、棚ユニットの取り付け、取り外しが容易であることにより、上記環境的機能を、護岸を構築した河川の状況の変化に応じて自由に修正することができる。
【００１４】
さらに、棚ユニットを護岸の全面に取り付けることにより、護岸のコンクリート面を覆い隠すことができ、上流から下流にわたる景観的連続性を損なうことがない。また護岸全面に客土ができ、これに植生が育成することにより、出水による流水の浸食、堆積作用で自然な水際の入り組みを形成することができる。
【００１５】
そして上記棚ユニットの各部材に間伐材を用いることができ、これによって間伐材の有効利用が可能で、地場産業の振興に寄与することができる。
【００１６】
本考案の請求項３〜５における各護岸構造にあっては、各種の棚ユニットを護岸に取り付けることができ、これにより河川の特性に応じて様々な環境的機能を付加して現場の環境に適した護岸とすることができる。
【考案を実施するための最良の形態】
【００１７】
本考案に係る護岸ブロックの構成を図１から図５に基づいて説明する。
【００１８】
図中１は所定幅を有する護岸ブロックであり、これの前壁２の背後に２個の控え脚３，３を設けた構成になっている。そしてこの護岸ブロック１の側面形状は後傾形状になっていると共に、上下面が水平になっていて、各控え脚３，３の上面には突起４，４が、また下面に、この突起４，４と対応して前後方向に係合する関係にして凹部５，５がそれぞれ設けてある。
【００１９】
上記前壁２と２個の控え脚３，３の関係は、両控え脚３，３の間隔が前壁幅の１／２であり、かつこの各控え脚３，３は前壁２の端から前壁幅１／４の位置に設けられていて、各護岸ブロック１は千鳥状に積み重ねられるようになっている。そしてこのときに、各控え脚３，３に設けられた突起４，４が上側に重なるブロックの控え脚３，３の下面に設けられた凹部５，５に係合して下側の護岸ブロックに対して上側の護岸ブロックが前側へ移動しないように係止されるようになっている。
【００２０】
上記構成の護岸ブロック１の控え脚３を設けた位置に、前壁２から控え脚３へ貫通する貫通孔６が設けてある。この貫通孔６は、直径が１０ｃｍ程度の丸孔とした。
【００２１】
図５は図１から図４にて示した所定幅を有する護岸ブロック１に対して１／２幅の護岸ブロック１´を示すもので、これの前壁２´の幅が上記護岸ブロック１の横幅の１／２になっていると共に、これの背後で、かつ幅方向中央に１個の控え脚３が設けてあり、他の構成は上記控え脚３を２個設けた所定幅の護岸ブロック１と同じである。そしてこの１／２幅の護岸ブロック１´は、上記控え脚３を２個設けた所定幅の護岸ブロック１を千鳥状に積み重ねたときに１段ごとに生じる端部の空間に積み込むのに使われる。
【００２２】
なお上記所定幅を有する護岸ブロック１の控え脚３の数は２個に限るものではないことはいうまでもない。        
【００２３】
次に図６、図７に基づいて上記した護岸ブロック１，１´を用いた護岸構造の第１の実施例について説明する。
【００２４】
図中７は所定幅を有する護岸ブロック１を千鳥状に積み重ねて構成した護岸であり、この護岸７は各護岸ブロック１に設けた貫通孔６が横方向及び縦方向に規則的にそれぞれ等間隔に配置される。なお、図７では１／２幅の護岸ブロック１´は図示してない。
【００２５】
この護岸７は図７、図８に示すように基盤８上に積み重ねられ、その背面側には裏込めコンクリート９が充填され、さらにその後側に裏込め材１０が詰め込まれている。そしてこの護岸７の構築時に、後述する棚ユニット１１を取付ける予定のない貫通孔６のいくつかに水抜きパイプ１２を、上記裏込めコンクリート９を貫通させて裏込め材１０内に臨ませて挿入してある。
【００２６】
護岸７の前面には上記貫通孔６を利用して複数の棚ユニット１１が取り付けられている。この棚ユニット１１は図６、図７に示すように、護岸７に設けられる貫通孔６の横方向間隔に並べると共に、貫通孔６の上下方向間隔の２段に配置した複数の、棒材にて構成した例えば６本の棚部材１３と、各横方向に並んだ棚部材１３の先端部を水平に結合する２本の横部材１４と、この２本の横部材１４に縦方向に結合して横方向に並べた複数の縦部材１５とからなっている。上記棚部材１３の太さは、上記貫通穴６に容易に挿し込むことができる太さ、例えば９ｃｍになっていると共に、これの長さは、上側の棚部材に対して下側の棚部材の長さが上記護岸７の傾斜分だけ短くなっている。
【００２７】
このときにおいて、例えば図６、図７に示す形態では、水面下にあっては水面から所定の深さ位置の全面にわたって棚ユニット１１を設置し、水面より上側にあっては横方向に適当な間隔をあけて、かつ任意の位置に棚ユニット１１を設置した。そして水面下の棚ユニット１１では、これの上側の棚部材１３の上に玉石１６を、また水面より上側の棚ユニット１１ではこれの下側の棚部材１３に玉石１６を、また上側の棚部材１３に土砂や土等の植栽床１７が載置されている。なお上記植栽床１７を入れる部分は、土が流出しないように周囲がネット１７ａにて囲われている。
【００２８】
図８、図９は護岸構造の第２の実施例を示すもので、この護岸構造は第１の実施例と同じ護岸７の貫通孔６に異なる構成の棚ユニット１１ａが取り付けてある。この実施例における棚ユニット１１ａは、貫通孔６に挿し込む上下２本の棚部材１３と、この２本の棚部材１３を縦方向に結合する縦部材１５とからなっている。そしてこの棚ユニット１１ａは図９に示すように水面際に、かつ図７に示すように横方向に所定の間隔をあけて複数組取り付け、この各棚ユニット１１ａの上下２本の棚部材１３の間に植生ロール１８が支持されている。この植生ロール１８は、ヤシガラ等の植生材を網で包んで長いマクラ状にしてある。
【００２９】
図１０、図１１は護岸構造の第３の実施例を示すもので、この護岸構造は第１の実施例と同じ護岸７の貫通孔６に、さらに異なる構成の棚ユニット１１ｂが取り付けてある。この実施例における棚ユニット１１ｂは、護岸７の横方向で、かつこれの各貫通孔６に多数挿し込んだ多数の棚部材１３と、この棚部材１３の上側に載せる粗朶マット１９とからなっている。この粗朶マット１９は長手方向に粗朶や丸太を組み合わせると共に各棚部材１３にくくり付けられている。そしてこの棚ユニット１１ｂは護岸７の上下方向に多段状に設け、この各棚ユニット１１ｂの粗朶マット１９の上に玉石１６を載せる。この実施例での棚ユニット１１ｂは、横方向の長さ及び上下方向の段数は任意に決められる。なお、粗朶マット１９上の玉石１６がこぼれ落ちないように縦方向にも粗朶で構成した粗朶壁１９ａを粗朶マット１９と共に格子状になるように設けてある。
【００３０】
上記した各実施例における護岸構造にあっては、これの前面に棚ユニット１１，１１ａ，１１ｂが取り付けられ、これに玉石１６や植栽床１７、植生ロール１８、さらに粗朶マット１９等が載せられることにより、水中にあっては魚類の住処や隠れ場所を提供でき、水面付近では水鳥の休憩場所となり、水上にあっては植物の繁茂を促すことができる。
【００３１】
そして上記棚ユニット１１，１１ａ，１１ｂを構成する各部材にはコンクリート、プラスチックさらには間伐材を用いることができる。特に、間伐材を用いることにより地場産業の振興に寄与できると共に、自然環境に即した護岸とすることができる。
【図面の簡単な説明】
【００３２】
【図１】控え脚を２個有する護岸ブロックを示す斜視図である。
【図２】図１で示した護岸ブロックの正面図である。
【図３】図１で示した護岸ブロックの側面図である。
【図４】図２のＡ−Ａ線に沿う断面矢視図である。
【図５】控え脚を１個有する１／２幅の護岸ブロックを示す斜視図である。
【図６】第１の実施例の護岸構造を示す正面図である。
【図７】図６で示した護岸構造の断面図である。
【図８】第２の実施例の護岸構造を示す正面図である。
【図９】図８で示した護岸構造の断面図である。
【図１０】第３の実施例の護岸構造を示す正面図である。
【図１１】図１０で示した護岸構造の断面図である。
【符号の説明】
【００３３】
１，１´…護岸ブロック、２，２´…前壁、３…控え脚、４…突起、５…凹部、６…貫通孔、７…護岸、８…基盤、９…裏込めコンクリート、１０…裏込め材、１１，１１ａ，１１ｂ…棚ユニット、１２…水抜きパイプ、１３…棚部材、１４…横部材、１５…縦部材、１６…玉石、１７…植栽床、１８…植生ロール、１９…粗朶マット、１９ａ…粗朶壁。
【図１】
0003139271.tif 000003
【図２】
0003139271.tif 000004
【図３】
0003139271.tif 000005
【図４】
0003139271.tif 000006
【図５】
0003139271.tif 000007
【図６】
0003139271.tif 000008
【図７】
0003139271.tif 000009
【図８】
0003139271.tif 000010
【図９】
0003139271.tif 000011
【図１０】
0003139271.tif 000012
【図１１】
0003139271.tif 000013